(57)【要約】      （修正有）【課題】スーツケース等に収納した衣服類に皺を生じない折り畳みハンガーを提供する。【解決手段】肩体部１１と、肩体部１１の左右にヒンジ部１２を介して接続された一対の肩先部１３と、肩体部１１に取り付けられた把持部１４と、肩体部１１の下方に配置されたズボン掛け部１５と肩先部１３の下方に配置された一対のズボン掛け端部１６とを備え、ズボン掛け部１５には、ヒンジ部１２と連動して動作し得る一対のズボン掛けヒンジ部１８が設けられ、ヒンジ部１２とズボン掛けヒンジ部１８を介して肩先部１３とズボン掛け部１５が連動して折り畳まれる折り畳み式ハンガーであって、ヒンジ部１２には、肩先部１３とズボン掛け部１５の折り畳み時に、肩先部１３とズボン掛け部１５を折り畳み状態に固定しうる係合部１９が設けられている。【選択図】図１
0003192578.tif 000002
【実用新案登録請求の範囲】
【請求項１】
肩体部と、上記肩体部の左右にヒンジ部を介して接続された一対の肩先部と、
上記肩体部に取り付けられた把持部と、上記肩体部の下方に配置されたズボン掛け部と、上記肩先部の下方に配置された一対のズボン掛け端部とを備え、上記ズボン掛け部と上記ズボン掛け端部の接続部には、上記ヒンジ部と連動して動作し得る一対のズボン掛けヒンジ部が設けられ、上記ヒンジ部と上記ズボン掛けヒンジ部を介して上記肩先部と上記ズボン掛け端部が連動して折り畳まれる折り畳み式ハンガーであって、上記ヒンジ部には、上記肩先部と上記ズボン掛け端部の折り畳み時に、上記肩先部と上記ズボン掛け端部を折り畳み状態に固定しうる係合部が設けられていることを特徴とする折り畳みハンガー。
【請求項２】
上記係合部は、上記ヒンジ部に設けられた係合凸部と、上記肩体部に設けられ、上記係合凸部に係脱自在に係止しうる係止部とにより構成されていることを特徴とする請求項１記載の折り畳みハンガー。
【請求項３】
上記ヒンジ部は、上記肩体部の両端部において上記肩体部の幅方向一方側に突出して、上記肩体部の上下方向に沿って設けられた回動軸部により構成され、
上記係合凸部は上記回動軸部の周面部に軸方向に沿って突設された凸部により形成されると共に、上記係止部は、上記回動軸部に隣接して上記肩体部の両側部に設けられ、上記肩先部が上記肩体部に沿って折り畳まれた場合に、上記凸部に係合して上記肩先部を上記肩体部に固定しうる係止片部により構成されていることを特徴とする請求項２記載の折り畳みハンガー。
【請求項４】
上記一対の肩先部は、肩先部本体と、上記肩先部本体よりも長さ方向及び幅方向に張り出して設けられた上着の肩支持部とにより構成されていることを特徴とする請求項３記載の折り畳みハンガー。
【請求項５】
上記肩体部は略二等辺三角形の枠体に形成され、上記肩先部は、上記肩体部の左右の底角部に配設された上記ヒンジ部を介して上記肩体部に接続され、上記ズボン掛け部は、上記肩体部から所定寸法離間すると共に上記肩体部の底辺部に沿って配置され、上記ズボン掛けヒンジ部は上記ヒンジ部の直下位置に設けられていることを特徴とする請求項４記載の折り畳みハンガー。
【考案の詳細な説明】
【技術分野】
【０００１】
本考案は、スーツケース等に収納して持ち運び可能な折り畳みハンガーに関するものである。
【背景技術】
【０００２】
従来、旅行等において衣服等を持ち運ぶ際、衣服類をハンガーに掛けた状態でスーツケース等に収納することが多く、これに対応する多種多様なハンガーが流通している。
【０００３】
しかし、ハンガーに衣服類を掛けたまま、スーツケース等に収納した場合、ハンガー自体が嵩張るため、収納可能な衣服類が限られるとともに、荷物が大きくなるという不具合を有していた。
【０００４】
上記不具合を解消するため、衣服を掛けた状態で折り畳み可能なハンガー（特許文献１）及び図７に示すようにズボンを掛けた状態でも折り畳み可能なハンガー５１（特許文献２）が提案されている。
【０００５】
特許文献１では、上記ハンガーの肩体部及び肩先部がヒンジ部を介して接続されており、衣服を上記ハンガーに掛けた状態でヒンジ部を前身方向に回動させることによって衣服の袖部がハンガーの肩先部とともに折り畳まれる。
【０００６】
また、特許文献２では、図７に示すように、上記ヒンジ部５２の直下位置にズボン掛けヒンジ部５３が配設されており、上着及びズボンの両方を掛けた状態で折り畳まれる。
【０００７】
しかしながら、上記特許文献１及び２に係る折り畳み可能なハンガーは、折り畳み時に肩先部が固定されないため、スーツケースへの収納時に取り扱いにくいと共に、ハンガーに掛けて収納した衣服類の折り畳まれた部分が移動時の振動等でハンガーの肩先部と共に動いてしまい、その部分に皺が寄りやすいという不具合があった。
【特許文献１】登録実用新案第３１３２１８２号公報
【特許文献２】登録実用新案第３１５０９２６号公報
【考案の開示】
【考案が解決しようとする課題】
【０００８】
そこで、本考案は、以上のような従来の要請に基づくものであって、その課題は、スーツケース等に収納した衣服類に皺を生じない折り畳みハンガーを提供することにある。
【課題を解決するための手段】
【０００９】
上記課題を解決するために、請求項１に記載の考案にあっては、肩体部と、上記肩体部の左右にヒンジ部を介して接続された一対の肩先部と、上記肩体部に取り付けられた把持部と、上記肩体部の下方に配置されたズボン掛け部と、上記肩先部の下方に配置された一対のズボン掛け端部とを備え、上記ズボン掛け部と上記ズボン掛け端部の接続部には、上記ヒンジ部と連動して動作し得る一対のズボン掛けヒンジ部が設けられ、上記ヒンジ部と上記ズボン掛けヒンジ部を介して上記肩先部と上記ズボン掛け端部が連動して折り畳まれる折り畳み式ハンガーであって、上記ヒンジ部には、上記肩先部と上記ズボン掛け端部の折り畳み時に、上記肩先部と上記ズボン掛け端部を折り畳み状態に固定しうる係合部が設けられていることを特徴とする。
【００１０】
従って、上記肩先部と上記ズボン掛け端部を同時に折り畳み、かつその状態で固定することができる。
【００１１】
請求項２に記載の考案にあっては、上記係合部は、上記ヒンジ部に設けられた係合凸部と、上記肩体部に設けられ、上記係合凸部に係脱自在に係止しうる係止部とにより構成されていることを特徴とする。
【００１２】
従って、上記ヒンジ部に設けられた上記係合凸部と上記肩体部に設けられた上記係止部の係合により、上記肩先部を折り畳んだ状態で固定することができる。
【００１３】
請求項３に記載の考案にあっては、上記ヒンジ部は、上記肩体部の両端部において上記肩体部の幅方向一方側に突出して、上記肩体部の上下方向に沿って設けられた回動軸部により構成され、上記係合凸部は上記回動軸部の周面部に軸方向に沿って突設された凸部により形成されると共に、上記係止部は、上記回動軸部に隣接して上記肩体部の両側部に設けられ、上記肩先部が上記肩体部に沿って折り畳まれた場合に、上記凸部に係合して上記肩先部を上記肩体部に固定しうる係止片部により構成されていることを特徴とする。
【００１４】
従って、上記肩先部を上記肩体部に沿って回動させることによって折り畳むことができ、かつ同時に固定された状態にすることができる。
【００１５】
請求項４に記載の考案にあっては、上記一対の肩先部は、肩先部本体と、上記肩先部本体よりも長さ方向及び幅方向に張り出して設けられた上着の肩支持部とにより構成されていることを特徴とする。
【００１６】
従って、上記肩支持部が上記肩先部本体よりも長さ方向及び幅方向に張り出すことで、上記折り畳みハンガーに上着を掛けるための肩の厚みと肩幅を持たせることができる。
【００１７】
請求項５に記載の考案にあっては、上記肩体部は略二等辺三角形の枠体に形成され、上記肩先部は、上記肩体部の左右の底角部に配設された上記ヒンジ部を介して上記肩体部に接続され、上記ズボン掛け部は、上記肩体部から所定寸法離間すると共に上記肩体部の底辺部に沿って配置され、上記ズボン掛けヒンジ部は上記ヒンジ部の直下位置に設けられていることを特徴とする。
【００１８】
従って、上記肩先部を上記ヒンジ部を介して前身方向に回動させ、上記肩体部に重ね合わせることによって、上記肩先部と上記ズボン掛け端部が同時に折り畳まれ、上着とズボンの両方を上記肩体部と同一の大きさに折り畳んだ状態で固定することができる。
【考案の効果】
【００１９】
請求項１に記載の折り畳みハンガーにあっては、上記肩先部と上記ズボン掛け部を同時に折り畳み、かつその状態で固定することができるので、スーツケースへの収納時に取り扱いやすいと共に、肩先部が動くことによって発生する衣服類の皺を防止することができる。
【００２０】
請求項２及び３に記載の折り畳みハンガーにあっては、上記肩先部を上記肩体部に沿って回動させることによって折り畳むことができ、かつ同時に固定された状態にすることができるので、ハンガーを折り畳んで固定する操作が容易になる。
【００２１】
請求項４に記載の折り畳みハンガーにあっては、上記肩支持部が上記肩先部本体よりも長さ方向及び幅方向に張り出すことで、上記折り畳みハンガーに上着を掛けるための肩の厚みと肩幅を持たせることができるので、上着の肩部分の型崩れを防止することができる。
【００２２】
請求項５に記載の折り畳みハンガーにあっては、上記肩先部を上記ヒンジ部及び上記ズボン掛けヒンジ部を介して前身方向に回動させ、上記肩体部に重ね合わせることによって、上記肩体部と同一の大きさに折り畳み、かつ固定することができるので、折り畳んだ状態の外観品質が良いと共に、上着及びズボンの皺発生や型崩れを防止することができる。
【図面の簡単な説明】
【００２３】
【図１】本考案に係る折り畳みハンガーの一実施の形態を示し、実施の形態において、肩先部とズボン掛け端部を開いた状態を示す正面図である。
【図２】本考案に係る折り畳みハンガーの一実施の形態を示し、実施の形態において、肩先部とズボン掛け端部を開いた状態を示す斜視図である。
【図３】本考案に係る折り畳みハンガーの一実施の形態を示し、実施の形態において、肩先部とズボン掛け端部及び把持部を折り畳んだ状態を示す斜視図である。
【図４】本考案に係る折り畳みハンガーの一実施の形態を示し、実施の形態において、肩先部を開いた状態の係合部の拡大平面図である。
【図５】本考案に係る折り畳みハンガーの一実施の形態を示し、実施の形態において、肩先部を折り畳む動作中の係合部の拡大平面図である。
【図６】本考案に係る折り畳みハンガーの一実施の形態を示し、実施の形態において、肩先部を折り畳んだ状態の係合部の拡大平面図である。
【図７】従来の折り畳みハンガーにおいて、肩先部とズボン掛け端部を開いた状態を示す正面図である。
【考案を実施するための最良の形態】
【００２４】
以下、添付図面に示す実施の形態に基づき、本考案を詳細に説明する。
図１〜図３に示すように、本実施の形態に係る折り畳みハンガー１０は、肩体部１１と、上記肩体部１１の左右にヒンジ部１２を介して接続された一対の肩先部１３と、上記肩体部１１に取り付けられた把持部１４と、上記肩体部１１の下方に配置されたズボン掛け部１５と、上記肩先部１３の下方に配置された一対のズボン掛け端部１６とを備え、上記ズボン掛け部１５と上記ズボン掛け端部１６の接続部１７には、上記ヒンジ部１２と連動して動作し得る一対のズボン掛けヒンジ部１８が設けられ、上記ヒンジ部１２と上記ズボン掛けヒンジ部１８を介して上記肩先部１３と上記ズボン掛け端部１６が連動して折り畳まれるように構成されている。
【００２５】
また、上記ヒンジ部１２には、上記肩先部１３と上記ズボン掛け端部１６の折り畳み時に、上記肩先部１３と上記ズボン掛け端部１６を折り畳み状態に固定しうる係合部１９が設けられている。
【００２６】
また、上記係合部１９は、上記ヒンジ部１２に設けられた係合凸部２０と、上記肩体部１１に設けられ、上記係合凸部２０に係脱自在に係止しうる係止部２１とにより構成されている。
【００２７】
また、上記ヒンジ部１２は、上記肩体部１１の両端部２２において上記肩体部１１の幅方向一方側に突出して、上記肩体部１１の上下方向に沿って設けられた回動軸部２３により構成され、上記係合凸部２０は上記回動軸部２３の周面部に軸方向に沿って突設された凸部２４により形成されると共に、上記係止部２１は、上記回動軸部２３に隣接して上記肩体部１１の両側部２５に設けられ、上記肩先部１３が上記肩体部１１に沿って折り畳まれた場合に、上記凸部２４に係合して上記肩先部１３を上記肩体部１１に固定しうる係止片部２６により構成されている。
【００２８】
また、上記一対の肩先部１３は、肩先部本体２７と、上記肩先部本体２７よりも長さ方向及び幅方向に張り出して設けられた上着の肩支持部２８とにより構成されている。
【００２９】
また、上記肩体部１１は略二等辺三角形の枠体２９に形成され、上記肩先部１３は、上記肩体部１１の左右の底角部３０に配設された上記ヒンジ部１２を介して上記肩体部１１に接続され、上記ズボン掛け部１５は、上記肩体部１１から所定寸法離間すると共に上記肩体部１１の底辺部３１に沿って配置され、上記ズボン掛けヒンジ部１８は上記ヒンジ部１２の直下位置に設けられている。
【００３０】
実施例の構成について、添付図面を用いてより詳細に説明する。
図１〜３において、上記肩体部１１は全体略二等辺三角形の上記枠体２９であり、上記枠体２９は横断面略Ｔ字形に形成されている。
【００３１】
また、上記肩先部１３は全体略１／４円弧状に形成された上記肩先部本体２７と上記肩先部本体２７に固定された全体略１／４楕円弧形状の上記肩支持部２８とにより構成されている。
【００３２】
上記肩先部本体２７は、上記肩体部１１の上記枠体２９と同様に横断面略Ｔ字形に形成されている。
【００３３】
上記肩支持部２８は、略Ｊ字状の一対の側面部３４・３５と、上記一対の側面部３４・３５の間に形成され、ゆるやかに外方端部３６に向かって下方へカーブする上面部３７とを有するカバー部材として構成され、上記肩先部本体２７に固定されている。
【００３４】
上記肩支持部２８の上記上面部３７には傾斜方向に沿って所定間隔離間して配置された複数の線状の滑り止め用突部３８が配設されている。
【００３５】
また、上記ズボン掛け部１５は、棒状のズボン掛け部本体３９から形成されている。
【００３６】
上記ズボン掛け部本体３９の両端部４０は、上記一対のズボン掛け端部１６に上記ズボン掛けヒンジ部１８を介して夫々接続されている。
【００３７】
上記ズボン掛け端部１６は、全体略Ｊ字形の接続部材４１から形成されている。
【００３８】
上記接続部材４１の接続部４２は上記肩先部１３の下端部４３に接続され、上記下端部４３から前身方向に一定の傾斜が設けられている。
【００３９】
上記接続部材４１の接続端部４４は、上記ズボン掛け部本体３９の上記両端部４０に上記ズボン掛けヒンジ部１６を介して接続されている。
【００４０】
上記接続部材４１の上記接続部４２により、上記ズボン掛け部１５と上記ズボン掛けヒンジ部１８と上記ズボン掛け端部１６とが前身方向に突出して形成され、上記ズボン掛けヒンジ部１８が上記肩体部１１の幅方向一方側に突出して設けられた上記ヒンジ部１２の直下位置に配設される。
【００４１】
また、上記把持部１４の下端部４５には略直方体形の肩体接続部４６が延設され、上記肩体接続部４６は、上記肩体部１１の頂部４７において、上記肩体部１１・１１端部間において左右方向に設けられた軸（図示せず）によって上記肩体部１１に上下方向において回動可能に軸承されている。
【００４２】
また、図１〜６に示すように、上記係合部１９を構成する上記係合凸部２０は、上記回動軸部２３の周面部に周方向に沿って厚さ寸法を徐々に増していくように、軸方向に沿って突設された凸部２４から形成されている。
【００４３】
図４〜６に示すように、上記係合部１９を構成する上記係止部２１は、上記肩体部１１の両側部２５に、上記肩体部１１の幅方向一方側に突出して、上記回動軸部２３と平行に設けられた上記係止片部２６から形成されている。
【００４４】
上記係止片部２６は、上記肩体部１１の幅方向一方側に突出した厚さ寸法の小さい側面略長方形板状の係止片部本体４８と、上記肩先部１３が折り畳まれた際に上記係合凸部２０と係合しうる鉤爪状の係止片４９と、上記係止片４９及び上記係合凸部２０の係合時に係合状態を保持しうるように上記肩体部１１に付設された略三角形状板片からなる係止片基部５０とから形成されている。
【００４５】
上記実施例の上記係合部の作用について詳細に説明する。
図４〜図６は本実施例に係る折り畳みハンガー１０の係合部１９の拡大平面図である。
図４に示すように、上記肩先部１３を開いた状態においては、上記ヒンジ部１２に設けられた上記係合凸部２０及び上記肩体部１１の両側部２５に設けられた上記係止片部２６は接触していない。
【００４６】
図４に示した状態から、上記肩先部１３を前身方向に回動させていくと、図５に示すように、上記ヒンジ部１２に設けられた上記係合凸部２０が上記肩体部１１の両側部２５に設けられた上記係止片部２６に接触し始める。
【００４７】
続いて、図５に示した状態から、上記肩先部１３をさらに前身方向に回動させ、上記肩体部１１に重ね合わせることによって、図６に示すように、上記ヒンジ部１２に設けられた上記係合凸部２０が上記肩体部１１の両側部２５に設けられた上記係止片部２６に係合し、上記肩先部１３が固定される。
【００４８】
従って、本実施例に係る折り畳みハンガー１０にあっては、上記係止片部２６は厚さ寸法の小さい側面略長方形板状に形成されると共に、上記係合凸部２０は上記回動軸部２３の周面部に周方向に沿って厚さ寸法を徐々に増していくように構成されているため、図５に示した状態から上記肩先部１３を前身方向に回動させた場合には、上記係合凸部２０に押圧された上記係止片部２６が徐々にたわんでいき、上記係止片４９が上記係合凸部２０を乗り越えることにより上記係止片４９が上記係合凸部２０と係合されることから、使用者は、上記肩先部１３を折り畳んだ際に、上記肩先部１３のスムーズかつ適度な抵抗感を持った回動動作感と係合時の確実なクリック感とを得ることができ、快適な操作感を以て使用することができる。
また、上記肩先部１３を折り畳んだ際には、上記係止片部２６は確実に上記係合凸部２０に係合していることから、一度、折り畳んだ場合に、簡単に上記肩先部１３の係合が解除されてしまうことはなく、スーツケース等への収納時においても、収納作業が行いやすい折り畳みハンガーを提供することができる。
【００４９】
本実施例に係る折り畳みハンガー１０にあっては、図３に示すように、上記肩先部１３に上着（図示せず）を掛けると共に、上記ズボン掛け部１５にズボンの足筒部（図示せず）を掛けた状態で、上記肩先部１３及び上記ズボン掛け端部１６を上記ヒンジ部１２及び上記ズボン掛けヒンジ部１８を夫々介して前身方向に回動させ、上記肩体部１１に重ね合わせることによって、上記肩先部１３と上記ズボン掛け端部１６が折り畳まれ、同時に上記ヒンジ部１２に設けられた上記係合凸部２０が上記肩体部１１に設けられた上記係止片部２６に係合し、上記肩先部１３が固定される。
【００５０】
この際、図３に示すように、上記肩先部１３が上記上着の肩口に挿入された状態のまま、上記上着を上記肩体部１１と同一の大きさに折り畳み、かつ固定することができるので、折り畳んだ状態の外観品質が良く、スーツケースへの収納時に取り扱いやすいと共に、上記肩先部１３が動くことによって発生する上着及びズボンの皺発生や型崩れを防止することができる。
【００５１】
さらに、図３に示すように、上記肩先部１３は上記肩支持部２８を上記肩先部本体２７に装着した状態で上着（図示せず）を掛けて使用する。
【００５２】
この際、上記折り畳みハンガー１０に上着を掛けるための肩の厚みと肩幅を持たせることができるので、上着の肩部分の型崩れを防止することができる。
【００５３】
また、上記肩先部１３は上記肩支持部２８を取り外した状態で、肩の厚みが薄い又は肩幅の狭い上着（図示せず）を掛けて使用してもよい。
【００５４】
この際、上着の肩の厚みと肩幅に合わせて上記折り畳みハンガー１０を使用することによって、肩の厚みと肩幅の異なる上着に対しても肩部分の型崩れを防止することができる。
【００５５】
本実施の形態に係る係合部１９は、上記ヒンジ部１２に設けられた上記係合凸部２０と、上記肩体部１１に設けられ、上記係合凸部２０に係脱自在に係止しうる上記係止部２１とにより構成されている場合を例に説明したが、上記構成に限定されず、上記肩先部１３が上記肩体部１１の上記両側部２５に沿って係合固定できるように構成されていればよい。
【産業上の利用可能性】
【００５６】
本考案は、衣服類を掛けた状態でスーツケース等に収納して持ち運び可能な折り畳みハンガーに適用可能であり、産業上利用可能性を有している。
【符号の説明】
【００５７】
１０：折り畳みハンガー
１１：肩体部
１２：ヒンジ部
１３：肩先部
１４：把持部
１５：ズボン掛け部
１６：ズボン掛け端部
１７：接続部
１８：ズボン掛けヒンジ部
１９：係合部
２０：係合凸部
２１：係止部
２２：肩体部の両端部
２３：回動軸部
２４：凸部
２５：肩体部の両側部
２６：係止片部
２７：肩先部本体
２８：肩支持部
２９：枠体
３０：枠体の底角部
３１：枠体の底辺部
３２：枠体の外縁部
３３：肩先部本体の外縁部
３４：肩支持部の側面部（正面側）
３５：肩支持部の側面部（背面側）
３６：肩支持部の外方端部
３７：肩支持部の上面部
３８：滑り止め用突部
３９：ズボン掛け部本体
４０：ズボン掛け部本体の両端部
４１：接続部材
４２：接続部材の接続部
４３：肩先部の下端部
４４：接続部材の接続端部
４５：把持部の下端部
４６：肩体接続部
４７：頂部
４８：係止片部本体
４９：係止片
５０：係止片基部
５１：従来の折り畳みハンガー
５２：ヒンジ部
５３：ズボン掛けヒンジ部
５４：肩体部
５５：肩先部
【図１】
0003192578.tif 000003
【図２】
0003192578.tif 000004
【図３】
0003192578.tif 000005
【図４】
0003192578.tif 000006
【図５】
0003192578.tif 000007
【図６】
0003192578.tif 000008
【図７】
0003192578.tif 000009